【手続補正書】
【提出日】平成19年1月26日(2007.1.26)
【手続補正１】
【補正対象書類名】明細書
【補正対象項目名】特許請求の範囲
【補正方法】変更
【補正の内容】
【特許請求の範囲】
【請求項１】  下記式Ｉ：
【化１】
2002538117.tif 000001
［式中、Ｙは直接結合、ＣＨ2、ＣＨ2−ＣＨ2であり、
ＸはＣＨ2、Ｏ、ＮＨ、ＮＲ６、Ｓであり、
Ｒ１、Ｒ１′は相互に独立してＨ、Ｆ、Ｃｌ、Ｂｒ、Ｉ、ＣＦ3、ＣＮ、ＮＯ2、ＣＯＯＨ、ＣＯＯ（Ｃ1−Ｃ6）−アルキル、ＣＯＮＨ2、ＣＯＮＨ（Ｃ1−Ｃ6)−アルキル、ＣＯＮ［（Ｃ1−Ｃ6）−アルキル]2、（Ｃ1−Ｃ6）−アルキル、（Ｃ2−Ｃ6）−アルケニル、（Ｃ2−Ｃ6）−アルキニル、Ｏ−（Ｃ1−Ｃ6）−アルキル、ただし、ここでアルキル、アルケニルおよびアルキニル基において１つ、２つ以上または全ての水素はフッ素で置き換えられていることができるか、または、水素１つがＯＨ、ＯＣ(Ｏ)ＣＨ3、ＯＣ(Ｏ)Ｈ、Ｏ−ＣＨ2−Ｐｈ、ＮＨ2またはＮＨ−ＣＯ−ＣＨ3またはＮ（ＣＯＯＣＨ2Ｐｈ)2で置き換えられていることができるもの；ＳＯ2−ＮＨ2、ＳＯ2ＮＨ（Ｃ1−Ｃ6）−アルキル、ＳＯ2Ｎ［（Ｃ1−Ｃ6）−アルキル]2、Ｓ−（Ｃ1−Ｃ6）−アルキル、Ｓ−（ＣＨ2)n−フェニル、ＳＯ−（Ｃ1−Ｃ6）−アルキル、ＳＯ−（ＣＨ2)n−フェニル、ＳＯ2−（Ｃ1−Ｃ6）−アルキル、ＳＯ2−（ＣＨ2)n−フェニル、ただし、ここでｎ＝０〜６であることができ、そしてフェニル基はＦ、Ｃｌ、Ｂｒ、ＯＨ、ＣＦ3、ＮＯ2、ＣＮ、ＯＣＦ3、Ｏ−（Ｃ1−Ｃ6）−アルキル、（Ｃ1−Ｃ6）−アルキル、ＮＨ2で２回まで置換されていることができるもの；ＮＨ2、ＮＨ−（Ｃ1−Ｃ6）−アルキル、Ｎ（（Ｃ1−Ｃ6）−アルキル)2、ＮＨ（Ｃ1−Ｃ7）−アシル、フェニル、ビフェニリル、Ｏ−（ＣＨ2)n−フェニル、ただしｎ＝０〜６であることができるもの、１−または２−ナフチル、２−、３−または４−ピリジル、２−または３−フラニルまたは２−または３−チエニル、ただし、ここでフ
ェニル、ビフェニリル、ナフチル、ピリジル、フラニルまたはチエニル環は各々の場合、Ｆ、Ｃｌ、Ｂｒ、Ｉ、ＯＨ、ＣＦ3、ＮＯ2、ＣＮ、ＯＣＦ3、Ｏ−（Ｃ1−Ｃ6）−アルキル、（Ｃ1−Ｃ6）−アルキル、ＮＨ2、ＮＨ（Ｃ1−Ｃ6）−アルキル、Ｎ（（Ｃ1−Ｃ6）−アルキル)2、ＳＯ2−ＣＨ3、ＣＯＯＨ、ＣＯＯ−（Ｃ1−Ｃ6）−アルキルまたはＣＯＮＨ2で３回まで置換されていることができるもの；１,２,３−トリアゾール−５−イル、ただしトリアゾール環はメチルまたはベンジルで１−、２−または３−位で置換されていることができるもの；テトラゾール−５−イル、ただしテトラゾール環はメチルまたはベンジルで１−または２−位で置換されていることができるものであり、
Ｒ２はＮＨ2、ＮＨＲ３、ＮＲ４Ｒ５であり、
Ｒ３は（Ｃ1−Ｃ6）−アルキル、ＣＮ、ＣＨＯ、ＣＯ−ＮＨ2、ＣＨ＝ＮＨ、Ｃ（Ｓ）−ＮＨ2、Ｃ（＝ＮＨ）−ＮＨ−フェニルであり、ただし、ここでフェニル環はＦ、Ｃｌ、Ｂｒ、Ｉ、ＯＨ、ＣＦ3、ＮＯ2、ＣＮ、ＯＣＦ3、Ｏ−（Ｃ1−Ｃ6）−アルキル、（Ｃ1−Ｃ6）−アルキル、ＮＨ2、ＮＨ（Ｃ1−Ｃ6）−アルキル、Ｎ(（Ｃ1−Ｃ6）−アルキル)2、ＳＯ2−ＣＨ3、ＣＯＯＨ、ＣＯＯ−（Ｃ1−Ｃ6）−アルキル、ＣＯＮＨ2で２回まで置換されていることができるもの；フェニル、ＣＨ2−フェニル、ただしここでフェニル環はＦ、Ｃｌ、Ｂｒ、Ｉ、ＯＨ、ＮＯ2、ＣＮ、ＯＣＦ3、Ｏ−（Ｃ2−Ｃ6）−アルキル、（Ｃ2−Ｃ6）−アルキル、ＮＨ2、ＮＨ（Ｃ1−Ｃ6）−アルキル、Ｎ(（Ｃ1−Ｃ6）−アルキル)2、ＳＯ2−ＣＨ3、ＣＯＯＨ、ＣＯＯ−（Ｃ1−Ｃ6）−アルキル、ＣＯＮＨ2で３回まで置換されていることができるもの；ビフェニリル、１−または２−ナフチル、４−ピリジル、２−または３−フラニル、２−または３−チエニル、５−テトラゾリル、ただし、ここでビフェニリル、ナフチル、ピリジル、フラニルまたはチエニル環は各々の場合、Ｆ、Ｃｌ、Ｂｒ、Ｉ、ＯＨ、ＣＦ3、ＮＯ2、ＣＮ、ＯＣＦ3、Ｏ−（Ｃ1−Ｃ6）−アルキル、（Ｃ1−Ｃ6）−アルキル、ＮＨ2、ＮＨ（Ｃ1−Ｃ6）−アルキル、Ｎ（（Ｃ1−Ｃ6）−アルキル)2、ＳＯ2−ＣＨ3、ＣＯＯＨ、ＣＯＯ−（Ｃ1−Ｃ6）−アルキル、ＣＯＮＨ2で２回まで置換されていることができるもの；ＣＨ2−フェニル、ＣＨ2−２−ピリジルまたはＣＨ2−４−ピリジル、ただし、ここでフェニルまたはピリジル環はＦ、Ｃｌ、Ｂｒ、Ｉ、ＯＨ、ＣＦ3、ＮＯ2、ＣＮ、ＯＣＦ3、Ｏ−（Ｃ1−Ｃ6）−アルキル、（Ｃ1−Ｃ6）−アルキル、ＮＨ2、ＮＨ（Ｃ1−Ｃ6）−アルキル、Ｎ（（Ｃ1−Ｃ6）−アルキル)2、ＳＯ2−ＣＨ3、ＣＯＯＨ、ＣＯＯ−（Ｃ1−Ｃ6）−アルキル、ＣＯＮＨ2で１回または２回置換されていることができるもの、
Ｒ４はＣ1−Ｃ6−アルキル、Ｃ3−Ｃ6−シクロアルキル、Ｃ2−Ｃ6−アルケニル、Ｃ2−Ｃ6−アルキニル、フェニル、ＣＨ2−フェニルであり、ただし、ここでフェニル環はＦ、Ｃｌ、Ｂｒ、Ｉ、ＯＨ、ＣＦ3、ＮＯ2、ＣＮ、ＯＣＦ3、Ｏ−（Ｃ1−Ｃ6）−アルキル、（Ｃ1−Ｃ6）−アルキル、ＮＨ2、ＮＨ（Ｃ1−Ｃ6)−アルキル、Ｎ（（Ｃ1−Ｃ6）−アルキル)2、ＳＯ2−ＣＨ3、ＣＯＯＨ、ＣＯＯ−（Ｃ1−Ｃ6）−アルキル、ＣＯＮＨ2で２回まで置換されていることができるもの、
Ｒ５はＨ、Ｃ1−Ｃ6−アルキル、Ｃ3−Ｃ6−シクロアルキル、Ｃ2−Ｃ6−アルケニル、Ｃ2−Ｃ6−アルキニル、フェニル、ＣＨ2−フェニルであり、ただし、ここでフェニル環はＦ、Ｃｌ、Ｂｒ、Ｉ、ＯＨ、ＣＦ3、ＮＯ2、ＣＮ、ＯＣＦ3、Ｏ−（Ｃ1−Ｃ6）−アルキル、（Ｃ1−Ｃ6）−アルキル、ＮＨ2、ＮＨ（Ｃ1−Ｃ6）−アルキル、Ｎ（（Ｃ1−Ｃ6）−アルキル)2、ＳＯ2−ＣＨ3、ＣＯＯＨ、ＣＯＯ−（Ｃ1−Ｃ6）−アルキル、ＣＯＮＨ2で２回まで置換されていることができるものであるか、または、
Ｒ４とＲ５は一緒になって以下の基：ＣＨ2−ＣＨ2−ＣＨ2−ＣＨ2−ＣＨ2、ＣＨ2−ＣＨ2−Ｎ（ＣＨ3）−ＣＨ2−ＣＨ2、ＣＨ2−ＣＨ2−Ｎ（ＣＨ2−フェニル）−ＣＨ2−ＣＨ2、ＣＨ2−ＣＨ2−Ｏ−ＣＨ2−ＣＨ2、ＣＨ2−ＣＨ2−ＣＨ2−ＣＨ2の１つを形成し、
Ｒ６は（Ｃ1−Ｃ6）アルキル、アシル、（Ｃ＝Ｏ）−（Ｃ1−Ｃ6）アルキル、（Ｃ＝Ｏ）−（Ｃ3−Ｃ6）−シクロアルキル、フェニル、ナフチル、ピリジル、−ＳＯ2−フェニル、−ＳＯ2−ナフチルである］
の化合物およびその生理学的に許容される塩および生理学的に機能性のある誘導体の肥満の予防または治療のための医薬の製造における使用。
【請求項２】  Ｙは直接結合、ＣＨ2、ＣＨ2−ＣＨ2であり、
ＸはＣＨ2、Ｏであり、
Ｒ１はＦ、Ｃｌ、Ｂｒ、Ｉ、ＣＦ3、ＣＮ、ＮＯ2、ＣＯＯＨ、ＣＯＯ（Ｃ1−Ｃ6）−アルキル、ＣＯＮＨ2、ＣＯＮＨ（Ｃ1−Ｃ6）−アルキル、ＣＯＮ[(Ｃ1−Ｃ6)−アルキル]2、（Ｃ1−Ｃ6）−アルキル、（Ｃ2−Ｃ6）−アルケニル、（Ｃ2−Ｃ6）−アルキニル、Ｏ−（Ｃ1−Ｃ6）−アルキル、ただし、ここでアルキル、アルケニルおよびアルキニル基において１つ、２つ以上または全ての水素はフッ素で置き換えられていることができるか、または、水素１つがＯＨ、ＯＣ(Ｏ)ＣＨ3、ＯＣ(Ｏ)Ｈ、Ｏ−ＣＨ2−Ｐｈ、ＮＨ2またはＮＨ−ＣＯ−ＣＨ3またはＮ（ＣＯＯＣＨ2Ｐｈ)2で置き換えられていることができるもの；ＳＯ2−ＮＨ2、ＳＯ2ＮＨ（Ｃ1−Ｃ6）−アルキル、ＳＯ2Ｎ［（Ｃ1−Ｃ6）−アルキル]2、Ｓ−（Ｃ1−Ｃ6）−アルキル、Ｓ−（ＣＨ2)n−フェニル、ＳＯ−（Ｃ1−Ｃ6）−アルキル、ＳＯ−（ＣＨ2)n−フェニル、ＳＯ2−（Ｃ1−Ｃ6）−アルキル、ＳＯ2−（ＣＨ2)n−フェニル、ただし、ここでｎ＝０〜６であることができ、そしてフェニル基はＦ、Ｃｌ、Ｂｒ、ＯＨ、ＣＦ3、ＮＯ2、ＣＮ、ＯＣＦ3、Ｏ−（Ｃ1−Ｃ6）−アルキル、（Ｃ1−Ｃ6）−アルキル、ＮＨ2で２回まで置換されていることができるもの；フェニル、−Ｏ−フェニル、ただしここでフェニル基はＦ、Ｃｌ、Ｂｒ、Ｉ、ＯＨ、ＣＦ3、ＮＯ2、ＣＮ、ＯＣＦ3、Ｏ−（Ｃ1−Ｃ6）−アルキル、（Ｃ1−Ｃ6)−アルキル、ＮＨ2、ＮＨ（Ｃ1−Ｃ6）−アルキル、Ｎ（（Ｃ1−Ｃ6）−アルキル)2、ＳＯ2−ＣＨ3、ＣＯＯＨ、ＣＯＯ−（Ｃ1−Ｃ6）−アルキル、ＣＯＮＨ2で２回まで置換されていることができるもの、
Ｒ１′はＨ、Ｆ、Ｃｌ、Ｂｒ、Ｉ、ＣＦ3、ＣＮ、ＮＯ2、ＣＯＯＨ、ＣＯＯ（Ｃ1−Ｃ6）−アルキル、ＣＯＮＨ2、ＣＯＮＨ（Ｃ1−Ｃ6）−アルキル、ＣＯＮ［（Ｃ1−Ｃ6）−アルキル]2、（Ｃ1−Ｃ6）−アルキル、（Ｃ2−Ｃ6）−アルケニル、（Ｃ2−Ｃ6）−アルキニル、Ｏ−（Ｃ1−Ｃ6）−アルキル、ただし、ここでアルキル、アルケニルおよびアルキニル基において１つ、２つ以上または全ての水素はフッ素で置き換えられていることができるか、または、水素１つがＯＨ、ＯＣ(Ｏ)ＣＨ3、ＯＣ(Ｏ)Ｈ、Ｏ−ＣＨ2−Ｐｈ、ＮＨ2またはＮＨ−ＣＯ−ＣＨ3またはＮ（ＣＯＯＣＨ2Ｐｈ)2で置き換えられていることができるもの；ＳＯ2−ＮＨ2、ＳＯ2ＮＨ（Ｃ1−Ｃ6）−アルキル、ＳＯ2Ｎ［（Ｃ1−Ｃ6）−アルキル]2、Ｓ−（Ｃ1−Ｃ6）−アルキル、Ｓ−（ＣＨ2)n−フェニル、ＳＯ−（Ｃ1−Ｃ6）−アルキル、ＳＯ−（ＣＨ2)n−フェニル、ＳＯ2−（Ｃ1−Ｃ6）−アルキル、ＳＯ2−（ＣＨ2)n−フェニル、ただし、ここでｎ＝０〜６であることができ、そしてフェニル基はＦ、Ｃｌ、Ｂｒ、ＯＨ、ＣＦ3、ＮＯ2、ＣＮ、ＯＣＦ3、Ｏ−（Ｃ1−Ｃ6）−アルキル、（Ｃ1−Ｃ6）−アルキル、ＮＨ2で２回まで置換されていることができるもの；フェニル、Ｏ−フェニル、ただしここでフェニル基はＦ、Ｃｌ、Ｂｒ、Ｉ、ＯＨ、ＣＦ3、ＮＯ2、ＣＮ、ＯＣＦ3、Ｏ−（Ｃ1−Ｃ6）−アルキル、（Ｃ1−Ｃ6)−アルキル、ＮＨ2、ＮＨ（Ｃ1−Ｃ6）−アルキル、Ｎ（（Ｃ1−Ｃ6）−アルキル)2、ＳＯ2−ＣＨ3、ＣＯＯＨ、ＣＯＯ−（Ｃ1−Ｃ6）−アルキル、ＣＯＮＨ2で２回まで置換されていることができるもの、
Ｒ２はＮＨ2、ＮＨＲ３、ＮＲ４Ｒ５であり、
Ｒ３は（Ｃ1−Ｃ6）−アルキル、ＣＮ、ＣＨＯ、ＣＯ−ＮＨ2、ＣＨ＝ＮＨ、Ｃ（Ｓ）−ＮＨ2、Ｃ（＝ＮＨ）−ＮＨ−フェニルであり、ただし、ここでフェニル環はＦ、Ｃｌ、Ｂｒ、Ｉ、ＯＨ、ＣＦ3、ＮＯ2、ＣＮ、ＯＣＦ3、Ｏ−（Ｃ1−Ｃ6）−アルキル、（Ｃ1−Ｃ6）−アルキル、ＮＨ2、ＮＨ（Ｃ1−Ｃ6）−アルキル、Ｎ(（Ｃ1−Ｃ6）−アルキル)2、ＳＯ2−ＣＨ3、ＣＯＯＨ、ＣＯＯ−（Ｃ1−Ｃ6）−アルキル、ＣＯＮＨ2で２回まで置換されていることができるもの；フェニル、ＣＨ2−フェニル、ただしここでフェニル環はＦ、Ｃｌ、Ｂｒ、Ｉ、ＯＨ、ＮＯ2、ＣＮ、ＯＣＦ3、Ｏ−（Ｃ2−Ｃ6）−アルキル、（Ｃ2−Ｃ6）−アルキル、ＮＨ2、ＮＨ（Ｃ1−Ｃ6）−アルキル、Ｎ(（Ｃ1−Ｃ6）−アルキル)2、ＳＯ2−ＣＨ3、ＣＯＯＨ、ＣＯＯ−（Ｃ1−Ｃ6）−アルキル、ＣＯＮＨ2で１回ないし３回置換されていることができるもの、
Ｒ４はＣ1−Ｃ6−アルキル、Ｃ3−Ｃ6−シクロアルキル、Ｃ2−Ｃ6−アルケニル、Ｃ2−Ｃ6−アルキニル、フェニル、ＣＨ2−フェニルであり、ただし、ここでフェニル環はＦ
、Ｃｌ、Ｂｒ、Ｉ、ＯＨ、ＣＦ3、ＮＯ2、ＣＮ、ＯＣＦ3、Ｏ−（Ｃ1−Ｃ6）−アルキル、（Ｃ1−Ｃ6）−アルキル、ＮＨ2、ＮＨ（Ｃ1−Ｃ6)−アルキル、Ｎ（（Ｃ1−Ｃ6）−アルキル)2、ＳＯ2−ＣＨ3、ＣＯＯＨ、ＣＯＯ−（Ｃ1−Ｃ6）−アルキル、ＣＯＮＨ2で１回または２回置換されていることができるもの、
Ｒ５はＣ1−Ｃ6−アルキル、Ｃ3−Ｃ6−シクロアルキル、Ｃ2−Ｃ6−アルケニル、Ｃ2−Ｃ6−アルキニル、フェニル、ＣＨ2−フェニルであり、ただし、ここでフェニル環はＦ、Ｃｌ、Ｂｒ、Ｉ、ＯＨ、ＣＦ3、ＮＯ2、ＣＮ、ＯＣＦ3、Ｏ−（Ｃ1−Ｃ6）−アルキル、（Ｃ1−Ｃ6）−アルキル、ＮＨ2、ＮＨ（Ｃ1−Ｃ6)−アルキル、Ｎ（（Ｃ1−Ｃ6）−アルキル)2、ＳＯ2−ＣＨ3、ＣＯＯＨ、ＣＯＯ−（Ｃ1−Ｃ6）−アルキル、ＣＯＮＨ2で１回または２回置換されていることができるものであるか、または、
Ｒ４とＲ５は一緒になって以下の基：ＣＨ2−ＣＨ2−ＣＨ2−ＣＨ2−ＣＨ2、ＣＨ2−ＣＨ2−Ｎ（ＣＨ2−フェニル）−ＣＨ2−ＣＨ2、ＣＨ2−ＣＨ2−Ｏ−ＣＨ2−ＣＨ2、ＣＨ2−ＣＨ2−ＣＨ2−ＣＨ2の１つを形成する
ものである、請求項１記載の式Ｉの化合物およびその生理学的に許容される塩および生理学的に機能性のある誘導体の肥満の予防または治療のための医薬の製造における使用。
【請求項３】  Ｙは直接結合であり、
ＸはＣＨ2であり、
Ｒ１はＦ、Ｃｌ、Ｂｒ、ＣＦ3、ＣＮ、（Ｃ1−Ｃ6）−アルキル、Ｏ−（Ｃ1−Ｃ6）−アルキル、ただし、ここでアルキル基において１つ、２つ以上または全ての水素はフッ素で置き換えられていることができるもの；ＳＯ2−ＮＨ2、ＳＯ2ＮＨ（Ｃ1−Ｃ6）−アルキル、ＳＯ2Ｎ［（Ｃ1−Ｃ6）−アルキル]2、ＳＯ2−（Ｃ1−Ｃ6）−アルキル、ＳＯ2−（ＣＨ2)n−フェニル、ただし、ここでｎ＝０〜６であることができ、そしてフェニル基はＦ、Ｃｌ、Ｂｒ、ＯＨ、ＣＦ3、ＮＯ2、ＣＮ、ＯＣＦ3、Ｏ−（Ｃ1−Ｃ6）−アルキル、（Ｃ1−Ｃ6）−アルキル、ＮＨ2で２回まで置換されていることができるもの；フェニル、−Ｏ−フェニル、ただしここでフェニル基はＦ、Ｃｌ、Ｂｒ、ＯＨ、ＣＦ3、ＮＯ2、ＣＮ、ＯＣＦ3、Ｏ−（Ｃ1−Ｃ6）−アルキル、（Ｃ1−Ｃ6）−アルキルで２回まで置換されていることができるもの；ピリジルであり、
Ｒ１′はＨ、Ｆ、Ｃｌ、Ｂｒ、ＣＦ3、ＣＮ、（Ｃ1−Ｃ6）−アルキル、Ｏ−（Ｃ1−Ｃ6）−アルキル、ただし、ここでアルキル基において１つ、２つ以上または全ての水素はフッ素で置き換えられていることができるもの；ＳＯ2−ＮＨ2、ＳＯ2ＮＨ（Ｃ1−Ｃ6）−アルキル、ＳＯ2Ｎ［（Ｃ1−Ｃ6）−アルキル]2、ＳＯ2−（Ｃ1−Ｃ6）−アルキル、ＳＯ2−（ＣＨ2)n−フェニル、ただし、ここでｎ＝０〜６であることができ、そしてフェニル基はＦ、Ｃｌ、Ｂｒ、ＯＨ、ＣＦ3、ＮＯ2、ＣＮ、ＯＣＦ3、Ｏ−（Ｃ1−Ｃ6）−アルキル、（Ｃ1−Ｃ6）−アルキル、ＮＨ2で２回まで置換されていることができるもの；フェニル、ただしここでフェニル基はＦ、Ｃｌ、Ｂｒ、ＯＨ、ＣＦ3、ＮＯ2、ＣＮ、ＯＣＦ3、Ｏ−（Ｃ1−Ｃ6）−アルキル、（Ｃ1−Ｃ6）−アルキルで２回まで置換されていることができるもの；ピリジルであり、
Ｒ２はＮＨ2、ＮＨＲ３、ＮＲ４Ｒ５であり、
Ｒ３は（Ｃ1−Ｃ6）−アルキル、ＣＮ、ＣＨＯ、ＣＯ−ＮＨ2、ＣＨ＝ＮＨ、Ｃ（Ｓ）−ＮＨ2、Ｃ（＝ＮＨ）−ＮＨ−フェニル、ただしここでフェニル環はＦ、Ｃｌ、Ｂｒ、ＯＨ、ＣＦ3、ＮＯ2、ＣＮ、ＯＣＦ3、Ｏ−(Ｃ1−Ｃ6)−アルキル、（Ｃ1−Ｃ6）−アルキル、ＮＨ2、ＮＨ（Ｃ1−Ｃ6）−アルキル、Ｎ（(Ｃ1−Ｃ6)−アルキル)2で２回まで置換されていることができるものであり、
Ｒ４はＣ1−Ｃ6−アルキルであり、
Ｒ５はＣ1−Ｃ6−アルキルであるか、または、
Ｒ４とＲ５は一緒になって基ＣＨ2−ＣＨ2−ＣＨ2−ＣＨ2−ＣＨ2を形成する
ものである、請求項１または２記載の式Ｉの化合物およびその生理学的に許容される塩の肥満の予防または治療のための医薬の製造における使用。
【請求項４】  肥満の予防または治療のための医薬の製造における食欲減退活性成分１つまたは２つ以上と組み合わせた請求項１〜３のいずれかに記載の式Ｉの化合物の使用。